(57)【要約】  立体画像をエンコード及びデコードするためのシステム並びに方法が記載される。立体画像には、第一コンフィギュレーションに基づいて配置された、ユーザの右目及び左目用の二以上のサブ画像が含まれる。映像信号作成後の段階において、前記コンフィギュレーションに関する情報を提供するよう構成された色彩コードが組み込まれる。受信機側でデコード手段（１４）が用いられて、前記立体画像が受信され、前記二以上のサブ画面のコンフィギュレーションが前記立体画像に組み込まれた情報に基づいて認識され、そして前記二以上のサブ画像が第二所定コンフィギュレーションに基づいてアレンジされる。
2012506649.tif 000002
【特許請求の範囲】
【請求項１】
単一の映像ストリームに含まれる立体画像をデコードするためのシステムであって、
前記映像ストリームにより伝達される立体画像が、二以上のサブ画像を有し、
前記二以上のサブ画像が、第一コンフィギュレーションに基づいて配置されているとともにユーザの右目及び左目を対象としてそれぞれ構成されており、
前記立体画像をデコードするためのシステムは、デコード手段（１４）を有し、
前記デコード手段は、前記立体画像を受信し、該立体画像に組み込まれた情報に基づいて前記二以上のサブ画像の前記第一コンフィギュレーションを認識し、そして前記二以上のサブ画像を第二所定コンフィギュレーションに基づいてアレンジするよう、構成されている
ことを特徴とする立体画像をデコードするためのシステム。
【請求項２】
前記情報が、前記立体画像に含まれる前記二以上のサブ画像の相互配置に関するものであることを特徴とする請求項１記載の立体画像をデコードするためのシステム。
【請求項３】
前記情報が、前記二以上のサブ画像の一以上のグループの回転及び／又は鏡映及び／又は反転を示していることを特徴とする請求項１又は２記載の立体画像をデコードするためのシステム。
【請求項４】
前記情報が色彩コードとしてエンコードされることを特徴とする請求項１〜３のうち何れか一項記載の立体画像をデコードするためのシステム。
【請求項５】
前記コードには、異なる前記情報に関連した複数の色彩成分のシーケンスが含まれ、
前記色彩成分は、先行する色彩成分と該先行する色彩成分の直後の色彩成分とが異なる色を有するよう、構成されている
ことを特徴とする請求項４記載の立体画像をデコードするためのシステム。
【請求項６】
前記色彩成分のシーケンスの連続する二つのシーケンスが、白色成分によって分離されていることを特徴とする請求項５記載の立体画像をデコードするためのシステム。
【請求項７】
前記コードが、互いに交互に配置された複数の色彩成分を有し、
前記色彩成分が、複数の色成分及び複数の基本成分を含み、
前記基本成分が、前記色成分同士の間に配置され、
前記色彩成分の幅は、前記立体画像の水平方向の幅と相関している
ことを特徴とする請求項４〜６のうち何れか一項記載の立体画像をデコードするためのシステム。
【請求項８】
前記コードの長さが前記立体画像の一つの線と等しいことを特徴とする請求項７記載の立体画像をデコードするためのシステム。
【請求項９】
一つの前記基本成分の幅が、前記立体画像の全幅を所定の数、特に１２８、で割ることにより得られ、
各前記色成分の幅が、前記基本成分の長さの整数倍、特に二倍、である
ことを特徴とする請求項７又は８記載の立体画像をデコードするためのシステム。
【請求項１０】
前記コードが、前記立体画像の上側の領域及び／又は下側の領域の近くに配置されていることを特徴とする請求項４〜９のうち何れか一項記載の立体画像をデコードするためのシステム。
【請求項１１】
前記デコード手段が、ユーザに前記第二コンフィギュレーションを選択させる選択手段（８，９）、特に押ボタン、を有することを特徴とする請求項１〜１０のうち何れか一項記載の立体画像をデコードするためのシステム。
【請求項１２】
前記デコード手段（１４）が、表示装置（１６）に内蔵又は接続され、
前記第二コンフィギュレーションによって前記表示装置上の映像化が正しく行われるよう構成されている
ことを特徴とする請求項１〜１０のうち何れか一項記載の立体画像をデコードするためのシステム。
【請求項１３】
前記デコード手段（１４）が、二次元画像の映像ストリームを受信及び送信することを特徴とする請求項１〜１２のうち何れか一項記載の立体画像をデコードするためのシステム。
【請求項１４】
前記デコード手段（１４）が、手段（６，７）、特に押ボタン、を有し、
前記手段（６，７）を介して、ユーザが、画像処理手段が受信した映像ストリームの立体エンコードの種類に関する情報を前記画像処理手段に与えるよう構成されている
ことを特徴とする請求項１〜１３のうち何れか一項記載の立体画像をデコードするためのシステム。
【請求項１５】
立体画像をエンコードするためのシステムであって、
前記立体画像が二以上のサブ画像を有しており、
前記二以上のサブ画像は、第一コンフィギュレーションに基づいて配置されているとともにユーザの右目及び左目を対象としてそれぞれ構成されており、
前記立体画像をエンコードするためのシステムは、前記第一コンフィギュレーションに関する情報を提供するコードを立体画像に組み込むよう構成されたエンコード手段（２０）を有している
ことを特徴とする立体画像をエンコードするためのシステム。
【請求項１６】
前記コードが色彩コードであることを特徴とする請求項１５記載の立体画像をエンコードするためのシステム。
【請求項１７】
前記情報が、前記立体画像に含まれる前記二以上のサブ画像の相互配置に関する情報であることを特徴とする請求項１５又は１６記載の立体画像をエンコードするためのシステム。
【請求項１８】
前記情報が、前記二以上のサブ画像の一以上のグループの回転及び／又は鏡映及び／又は反転を示すことを特徴とする請求項１５〜１７のうち何れか一項記載の立体画像をエンコードするためのシステム。
【請求項１９】
前記コードが、異なる前記情報に関連した複数の色彩成分のシーケンスを含み、
前記色彩成分は、先行する色彩成分と該先行する色彩成分の直後の色彩成分とが異なる色を有するよう、構成されている
ことを特徴とする請求項１５〜１８のうち何れか一項記載の立体画像をエンコードするためのシステム。
【請求項２０】
前記複数の色彩成分のシーケンスが、白色成分によって分離されていることを特徴とする請求項１９記載の立体画像をエンコードするためのシステム。
【請求項２１】
前記コードが、互いに交互に配置された複数の色彩成分を有し、
前記色彩成分が、複数の色成分及び複数の基本成分を含み、
前記基本成分が、前記色成分同士の間に配置され、
前記色彩成分の幅は、前記立体画像の水平方向の幅と相関している
ことを特徴とする請求項１５〜２０のうち何れか一項記載の立体画像をエンコードするためのシステム。
【請求項２２】
前記コードの長さが前記立体画像の一つの線と等しいことを特徴とする請求項２１記載の立体画像をエンコードするためのシステム。
【請求項２３】
一つの前記基本成分の幅が、前記立体画像の全幅を所定の数、特に１２８、で割ることにより得られ、
各前記色成分の幅が、前記基本成分の長さの整数倍、特に二倍、である
ことを特徴とする請求項２１又は２２記載の立体画像をエンコードするためのシステム。
【請求項２４】
前記コードが、前記立体画像の上側の領域及び／又は下側の領域の近くに配置されていることを特徴とする請求項１５〜２３のうち何れか一項記載の立体画像をエンコードするためのシステム。
【請求項２５】
立体画像をデコードする方法であって、
第一コンフィギュレーションに基づいて配置されたユーザの右目及び左目用の二以上のサブ画像を有する立体画像が含まれた映像ストリームを受信し、
前記二以上のサブ画像の前記第一コンフィギュレーションを、前記立体画像に組み込まれた情報に基づいて認識し、
前記受信した立体画像の前記サブ画像を、第二所定コンフィギュレーションに基づいてアレンジする
ことを特徴とする立体画像をデコードする方法。
【請求項２６】
前記第二所定コンフィギュレーションがユーザにより選択されることを特徴とする請求項２５記載の立体画像をデコードする方法。
【請求項２７】
前記二つのサブ画像を色彩コードに基づいて認識することを特徴とする請求項２５又は２６記載の立体画像をデコードする方法。
【請求項２８】
前記二以上のサブ画像のうちの一以上、好ましくは全て、のサブ画像を抽出することを特徴とする請求項２５〜２７のうち何れか一項記載の立体画像をデコードする方法。
【請求項２９】
前記情報が前記二以上のサブ画像の相互配置に関する情報であることを特徴とする請求項２５〜２８のうち何れか一項記載の立体画像をデコードする方法。
【請求項３０】
前記情報が、前記二以上のサブ画像の一以上のグループの回転及び／又は鏡映及び／又は反転を示すことを特徴とする請求項２５〜２９のうち何れか一項記載の立体画像をデコードする方法。
【請求項３１】
前記立体画像に前記情報が存在しない場合は、前記第一コンフィギュレーションはユーザにより決定されることを特徴とする請求項２５〜３０のうち何れか一項記載の立体画像をデコードする方法。
【請求項３２】
立体画像をエンコードする方法であって、
前記立体画像は、第一コンフィギュレーションに基づいて配置されたユーザの右目及び左目用の二以上のサブ画像を有し、
前記立体画像をエンコードする方法は、前記コンフィギュレーションに関する情報を提供するよう構成されたコードを前記立体画像に組み込むことを含む
ことを特徴とする立体画像をエンコードする方法。
【請求項３３】
前記コードが色彩コードであることを特徴とする請求項３２に記載の立体画像をエンコードする方法。
【請求項３４】
前記情報が、前記立体画像に含まれる前記二以上のサブ画像の相互配置に関する情報であることを特徴とする請求項３２又は３３に記載の立体画像をエンコードする方法。
【請求項３５】
前記情報が、前記二以上のサブ画像の一以上のグループの回転及び／又は鏡映及び／又は反転を示すことを特徴とする請求項３２〜３４のうち何れか一項記載の立体画像をエンコードする方法。
【請求項３６】
前記コードが、異なる前記情報に関連した複数の色彩成分のシーケンスを含み、
前記色彩成分は、先行する色彩成分と該先行する色彩成分の直後の色彩成分とが異なる色を有するよう、構成されている
ことを特徴とする請求項３２〜３５のうち何れか一項に記載に記載の立体画像をエンコードする方法。
【請求項３７】
前記複数の色彩成分のシーケンスが、白色成分によって分離されていることを特徴とする請求項３６に記載の立体画像をエンコードする方法。
【請求項３８】
前記コードが、互いに交互に配置された複数の色彩成分を有し、
前記色彩成分が、複数の色成分及び複数の基本成分を含み、
前記基本成分が、前記色成分同士の間に配置され、
前記色彩成分の幅は、前記立体画像の水平方向の幅と相関している
ことを特徴とする請求項３２〜３７のうち何れか一項に記載の立体画像をエンコードする方法。
【請求項３９】
前記コードの長さが前記立体画像の一つの線と等しいことを特徴とする請求項３８に記載の立体画像をエンコードする方法。
【請求項４０】
一つの前記基本成分の幅が、前記立体画像の全幅を所定の数、特に１２８、で割ることにより得られ、
各前記色成分の幅が、前記基本成分の長さの整数倍、特に二倍、である
ことを特徴とする請求項３７〜３９のうち何れか一項に記載の立体画像をエンコードする方法。
【請求項４１】
前記コードが、前記立体画像の上側の領域及び／又は下側の領域の近くに配置されていることを特徴とする請求項３２〜４０のうち何れか一項に記載の立体画像をエンコードする方法。
【請求項４２】
請求項３１〜４１のうち何れか一項記載の方法を用いてエンコードされる一以上の立体画像が含まれることを特徴とする映像ストリーム。
【請求項４３】
請求項４２に記載の映像ストリームを示すデータシーケンスを有することを特徴とする大容量記憶装置。
【発明の詳細な説明】
【技術分野】
【０００１】
本発明は、単一の映像ストリームを形成する立体画像をエンコード及びデコードするためのシステムに関する。
【背景技術】
【０００２】
最初の三次元立体画像の伝送試験は、二十世紀にJohn Logie Bairdによって、二重らせんニポウディスク(double-spiral Nipkow disk)に基づくシステムを用いて行われた。その後その他多くの試験が行われたとともに立体画像を表示するための異なる技法が開発されてきた。
【０００３】
そのような映像伝送技法の例として、「アナグリフ」（赤と緑などの二つの補色に基づく）、「プルフリッヒ効果」（ビデオカメラを常に同方向に動かすことに基づく）、「時間操作」（ユーザの左目用のフレームとユーザの右目用のフレームとを交互に並べる）、及び「二操作チャンネル」（一方をユーザの左目用、他方をユーザの右目用とする）と呼ばわれるものが挙げられる。
【０００４】
上記の最初の試験では映像ストリームの録画はまだ可能でなかったので、立体画像は生で撮影されたが、その後、録画及び再生技法が用いられてきた。
【０００５】
三次元コンテンツを含む映像ストリームの分配は、これまで、二次元テレビ基準及び用いられる表示装置の種類に依存していた。「時間操作」システムを用いることにより最良の商業的効果が得られ、ここで、複合映像信号の線の半分（偶数線）が一方の目用にエンコードされ、そして残りの半分（奇数線）が他方の目用にエンコードされる。三次元コンテンツを見るために液晶シャッターグラスが用いられる。
【０００６】
コンピュータ、高解像度二次元システム及びインターネットの出現によって立体画像フォーマットのシナリオは、わずかな共通の特徴を有しつつ異なる方向に拡張された。実際、ほとんどの場合、両目に関する情報は単一の映像ストリームにエンコードされる。このなかで、ユーザの一方の目用の画像のセットが映像ストリームの第一サブストリームを形成し、かつ他方の目用の画像のセットが同じ映像ストリームの第二サブストリームを形成するよう、各立体画像が、二つのサブ画像に細分される。
【０００７】
映像ストリームの中の三次元立体画像の位置、サイズ、回転及びレイアウトなどに関する情報についての参考基準は現在のところ知られていない。また、映像ストリーム全体の中で二つの映像サブストリームがどのように構成されているかを解読するためのエンコードモードについても、現在のところ知られていない。
【０００８】
したがって、映像ストリームを表示システムと相互作用させなければならないデコード装置は、二つの立体映像サブストリームに関する情報を自動的に抽出することはできない。
【０００９】
二つの立体映像サブストリームを形成する画像のデコードには、どのようにデコードを行うかを決定するために、ユーザがデコード装置を操作する（映像ストリーム中のエンコードされなかった補助的情報に基づく操作又は目視検査による操作）ことが必要となる。
【発明の概要】
【発明が解決しようとする課題】
【００１０】
本願発明の目的は、立体画像をエンコード又はデコードするためのシステムを改善することである。
【００１１】
本願発明の別の目的は、対応する表示システムに立体画像を正確に表示させるためにユーザがデコード装置を操作することを必要としない、立体画像をエンコード及びデコードするためのシステムを提供することである。
【００１２】
本願発明のこれらの及びその他の目的は、立体画像をエンコードするための方法及びシステム並びに単一の映像ストリーム中に取り入れられた場合にそのような画像をデコードするための方法及びシステムを用いて達成される。
【課題を解決するための手段】
【００１３】
本発明は、単一の映像ストリームの中の立体画像を伝送及び受信するためのシステムを提供する。
【００１４】
上記システムには、立体画像の複数の部分に組み込まれるプロトコルを有するエンコード手段が設けられ、前記プロトコルは、前記立体画像に関する情報、特に右左の目用のサブ画像が前記立体画像中に配置されたモード（又はコンフィギュレーション）に関する情報を有する。
【００１５】
したがって、エンコード手段によって、そのような画像に関する情報、特にサブ画像のレイアウトに関する情報を保持するコードが、前記立体画像の中に組み込まれる。
【００１６】
立体画像において、エンコード手段を用いて組み込まれたコードは、ドキュメントを識別するスタンプ（又はプロトコル）と同じである。したがって、本明細書においては、コードとプロトコルとを区別せずに記載する。
【００１７】
画像に組み込まれたそのようなコードは、用いられる基準及びエンコード、並びに受信機へ伝送される画像のフォーマットには依存しない。
【００１８】
一般的に、立体画像は、異なるコンフィギュレーションに基づいて伝送及び格納されている。例えば、ユーザの右目及び左目用の二つの画像を単一の立体画像にエンコードする時は、後者を水平方向に細分して二つのサブ画像とし、各サブ画像は一方の目用の画像を含む。あるいは、単一の画像を鉛直方向に細分して二つの部分としてもよい。
【００１９】
そのなかでも、本発明に係るコード（又はプロトコル）によって、上記のようなコンフィギュレーションのうちのどのコンフィギュレーションが立体画像に適用されたかを知ることができる。
【００２０】
画像は、光学媒体（例えばコンパクトディスク又はＤＶＤ又はブルーレイ）に区別することなく格納されてもよく、その後適切な再生機によって再生されるかあるいは受信機に送られてもよい（例えば任意のＤＶＢ（Ｄｉｇｉｔａｌ  Ｖｉｄｅｏ  Ｂｒｏａｄｃａｓｔ）基準を介して送られてもよい）。何れの場合にも、立体画像のコード（又はプロトコル）は、画像そのもののなかに組み込まれているので、コードを読み込む受信機又はデコードする再生機において常に利用可能であり、したがって、コードは、画像の作成、格納、圧縮、エンコード、伝送、受信又は再生の方法に依存しない。
【００２１】
受信機側において、上記システムは、上記組み込まれたプロトコルに基づく立体画像に関する情報をデコードするよう構成されたデコード手段を有し、これにより立体画像が表示装置と互換性を有するよう該立体画像がフォーマットされる。
【００２２】
本発明は、対応する表示システムに立体画像を正確に表示させるためにデコード装置を操作するユーザを必要としない、立体画像をエンコード及びデコードするためのシステムを提供する。実際、上記システムは、映像ストリーム中の立体画像の構成の様子又は映像のタイプ、即ち映像ストリームが二次元画像を含むか三次元画像を含むかに関する、映像ストリームに含まれる補助的情報を読み取ることができる。
【００２３】
エンコード手段により適切にアレンジされる上記情報により、デコード手段は、映像ストリームを処理して三次元テレビセットなどの表示装置に送信することができる。
【００２４】
換言すると、立体画像がデコード手段により受信される（放送又は再生機を用いた読み込みされる）と、デコード手段は、画像に組み込まれたコード（又はプロトコル）を用いて該画像をデコードして必要に応じて変換して正しく表示する。
【００２５】
特に、立体画像は、少なくとも二つのサブ画像から構成されている（一方は右目用で他方は左目用）。画像に組み込まれたコード（又はプロトコル）に保持された情報は、これら二つのサブ画像のコンフィギュレーションに関するものであり、該情報は特に、サブ画像同士の配置が左右(side-by-side)の配置か、上下の配置か、又は回転された配置かなどを示す。
【００２６】
画像に組み込まれたコードによって、デコード手段は、立体画像内でサブ画像がどのように配置されているかを解釈することができ、さらにサブ画像同士を区別することができる。したがって、二つのサブ画像は、使用される表示装置（例えば、ミクロポラリゼーション(micropolarization)ＬＣＤテレビセット又は三次元バックプロジェクションＤＬＰテレビセット）に基づいて適切にフォーマットされ、即ち所定のフォーマットに構成される。
【００２７】
さらに、少数の識別因子、即ちエンコードコードを形成する因子を伴う低伝達速度用の信頼性の高いエンコードシステムを得ることもまた可能である。このコードは、必要に応じてデコーダ手段に加えて人間のオペレータによっても読み取ることができるよう、エンコードされる。
【００２８】
上記エンコード及びデコードシステムは、インターネットで使用される小さな画像サイズ及び高い圧縮率にも適合する。
【図面の簡単な説明】
【００２９】
【図１】本発明に係る、立体画像をエンコード及びデコードするためのシステムの略図である。
【図２】二つのサブ画像を含む立体画像の略図である。
【図３】四つのサブ画像を含む立体画像の略図である。
【発明を実施するための形態】
【００３０】
添付された図面を参照することにより本発明の理解を深める及び実施することができる。図面は本発明を限定するものでない。
【００３１】
図１は、立体画像をエンコード及びデコードするためのシステム１８を示す。
【００３２】
システム１８は、例えばケーブル１７によって送られる、立体（三次元）画像及び場合によっては二次元画像が含まれる映像ストリームを受信するよう、構成されている。
【００３３】
映像ストリームは画像伝送手段１９から送信されてもよい。画像伝送手段１９は、例えば、サテライトデコーダ１、アナログ又はデジタル地上波信号受信機２、ケーブルテレビアダプタ３、及びデジタル多用途ディスク（ＤＶＤ）やブルーレイディスク（ＢＲＤ）などの光学機器を読み取るための読取機４又はコンピュータ５を有する。
【００３４】
本明細書において、「伝送手段」なる語は、映像ストリーム、特に立体映像を含む映像ストリームを出力する任意の装置を意味する。
【００３５】
立体画像を含む場合、映像ストリームは二つの立体サブストリームに細分される。
【００３６】
一方のサブストリームはユーザの一方の目用の画像を含み、他方のサブストリームはユーザの他方の目用の画像を含む。
【００３７】
立体画像内のサブ画像の数は、二又は任意の二の倍数である。
【００３８】
二つのサブ画像は立体画像内で様々に編成されており、したがって異なるコンフィギュレーションが得られる。異なるコンフィギュレーションは、立体画像内のサブ画像のレイアウトに依存する。実際には、サブ画像は左右又は上下のレイアウトを有する。また、異なるコンフィギュレーションは、ユーザの右目用のサブ画像に対するユーザの左目用のサブ画像の配置にも依存する。さらに、異なるコンフィギュレーションは、サブ画像に施される任意の幾何学的変換に依存する。実際には、全ての又は一部のサブ画像は回転される及び／又は鏡映される及び／又は立体画像の側面と平行な軸に沿って反転される。
【００３９】
システム１８は、エンコード手段２０（長方形で概略）及びデコード手段１４を有する。エンコード手段２０は、映像ストリームを形成する画像のタイプ及び立体画像内のサブ画像のコンフィギュレーションに関する情報を有する。
【００４０】
エンコード手段２０は、画像伝送手段１９とデコード手段１４とを結びつけるよう構成されたプロトコルを有する。
【００４１】
プロトコルは、色彩コード(chromatic code)（詳細は後述する）を使用し、これにより上記情報がエンコードされる。
【００４２】
本明細書に記載される実施形態において、プロトコルは、色彩コードに基づいて挿入される複数のデータシーケンスを有する。データシーケンスは、少なくとも立体画像の上方及び／又は下方に位置する線に沿ってのびるよう設けられ、かつ画像と同じ幅を有する。
【００４３】
プロトコルは、特定のソフトウェアプログラム又は適切な映像編集ソフトウェアパッケージの一部を用いて、映像作成後の段階で立体画像に組み込まれる。あるいは、プロトコルは、タイトル撮影装置(titler)に似た適切な装置を用いて重ね合わせられる。
【００４４】
したがって、立体画像をエンコードする即ち画像識別コード（又はプロトコル）を規定するエンコード手段２０は、一般的に伝送手段１９とは別に設けられている。
【００４５】
図１において、エンコード手段２０は伝送手段１９に接続されているが、これは単に、エンコード手段により立体画像に組み込まれたコードが、読取機４もしくはコンピュータ５により読み取られる媒体（ＤＶＤなど）又は受信機１、２、３により受信された映像信号のなかに格納された映像信号の中に見つかることを示すためである。
【００４６】
プロトコルに含まれる種々のシーケンスは、以下のような所定の情報を含むとともに以下のような所定の機能を果たす。例えば、
ａ）各々が複数のサブ画像に細分された立体画像を含む映像ストリームのためのプロトコル開始識別；
ｂ）立体画像内におけるザブ画像の配置（左右、又は上下即ち鉛直もしくは水平分割）；
ｃ）ユーザの右目用のサブ画像に対するユーザの左目用のサブ画像の配置；
ｄ）サブ画像の相互配置；
ｅ）サブ画像の回転及び／又は鏡映及び／又は反転；
ｆ）さらなるプロトコル拡張に利用される自由部分；
ｇ）（各々が）複数のサブ画像に細分された立体画像を含む映像ストリームのためのプロトコル終了識別。
【００４７】
プロトコルは三原色（赤、緑、青）並びに白（三原色の組み合わせ）及び黒に基づいている。
【００４８】
プロトコルは、「色成分」及び「基本成分」と呼ばれる複数の相互に並ぶ色彩成分を含む。
【００４９】
色成分は、赤、緑、青、白又は黒を有していてもよい。基本成分は白のみである。
【００５０】
色成分の読取性能を改選するために、プロトコルの色成分同士の間に基本成分が配置される。
【００５１】
成分の幅は立体画像の水平方向の幅と関連している。実際には、基本成分の幅を規定するために立体画像の全幅が所定の数、例えば１２８、で分割される。
【００５２】
各色成分の幅は基本成分の二倍であるので、各基本成分の幅が１／１２８の場合、各色成分の幅は立体画像の全幅の１／６４となる。
【００５３】
あるいは、各色成分の幅は基本成分の幅の整数倍となる。
【００５４】
したがって、交互に並ぶ色成分及び基本成分によってプロトコルが連続して構成され、例えば、立体画像の全幅に沿って、幅が１／１２８（全幅に対して）の基本成分、幅が１／６４の色成分、幅が１／１２８の別の基本成分、幅が１／６４の別の色成分、というように構成される。
【００５５】
このような構成により、４２個の色成分が多数の基本成分とともに交互に並ぶこととなる。立体画像の全幅を完成させるために、立体画像の全幅をカバーするよう二つの基本成分がプロトコルの端に挿入される。したがって、下式が得られる。
（数１）４２ｘ２＋４２＋２＝１２８
ここで、４２ｘ２は色成分であり、その幅は基本成分の幅の二倍であり、４２は基本成分であり、２はプロトコルの端の基本成分である。
【００５６】
船舶及び／又は飛行機のナビゲーションライトの配置（左側に赤いライト、右側に緑のライト）に関する国際条約からはじめると、本発明に係るプロトコルにおいて、赤及び緑の色は左側及び右側のサブ画像をそれぞれ示す。さらに、プロトコルは、サブ画像の上側部を示すために青色を利用し、またサブ画像の下側部を示すために黒を利用する。
【００５７】
色彩成分のシーケンスの少なくとも一部分は、国旗に含まれる色のシーケンスのように色成分と基本成分の連続を含む。
【００５８】
各色成分は所定の意味を有し、その意味はプロトコル内の色成分の位置に依存する（下記参照）。
【００５９】
立体画像が二つのサブ画像、例えば下側サブ画像及び上側サブ画像、に細分される場合、プロトコルは、以下の所定の情報を含むとともに以下の所定の機能を有するシーケンスを有する。
ａ）（各々が）二つのサブ画像に細分された立体画像を含む映像ストリームのためのプロトコル開始識別
ｂ）立体画像内におけるサブ画像の配置（左右、又は上下即ち鉛直もしくは水平分割）
ｃ）ユーザの右目用のサブ画像に対するユーザの左目用のサブ画像の配置
ｄ）サブ画像の回転及び／又は鏡映及び／又は反転
ｅ）さらなるプロトコル拡張に利用される自由部分
ｆ）（各々が）二つのサブ画像に細分された立体画像を含む映像ストリームのためのプロトコル終了識別
【００６０】
（各々が）二つのサブ画像に細分された立体画像を含む映像ストリームのためのプロトコル開始識別シーケンスは、白の基本成分とともに交互に並ぶ色成分のシーケンスを含む。
【００６１】
（各々が）二つのサブ画像に細分された立体画像を含む映像ストリームのためのプロトコル開始識別シーケンスの色成分のシーケンスは、緑色、赤色及び青色の連続を含む。
【００６２】
したがって、（各々が）二つのサブ画像に細分された立体画像を含む映像ストリームのためのプロトコル開始識別シーケンスは、白の基本成分（立体画像の全幅の１／１２８に等しい幅を有する）、緑色成分（立体画像の全幅の１／６４に等しい幅を有する）、白の基本成分（立体画像の全幅の１／１２８に等しい幅を有する）、赤色成分（立体画像の全幅の１／６４に等しい幅を有する）、白の基本成分（立体画像の全幅の１／１２８に等しい幅を有する）、青色成分（立体画像の全幅の１／６４に等しい幅を有する）、そして最後に白の基本成分（立体画像の全幅の１／１２８に等しい幅を有する）、を含む。
【００６３】
色成分は白分離成分をさらに有し、各白分離成分の幅は立体画像の全幅の１／６４に等しい。即ち分離成分は白色を有する色成分である。分離成分は上記にリストされたシーケンスの端に配置されている。
【００６４】
白色は、立体画像の全幅の３／１２８毎に定間隔で繰り返されて分離成分として利用され、これにより、プロトコルがデコード手段１４によりデコードされる場合及びユーザによってデコードされる場合の両方において、プロトコルの読取性が改善される。
【００６５】
四番目（合計４２個のうち）の成分として、白分離成分が、立体画像を含む映像ストリームのためのプロトコル開始識別シーケンスの後に挿入される。
【００６６】
その後、立体画像内の二つのサブ画像の配置を示すシーケンスがプロトコルに挿入される。該シーケンスは、立体画像のサブ画像のレイアウトが右左レイアウト（立体画像の鉛直分割）か上下レイアウト（立体画像の水平分割）かを示す情報を色成分へと変換するよう構成されている。実際には、一つの色成分、例えば青色、は水平分割を示し、そして別の色成分、例えば赤色、は鉛直分割を示す。
【００６７】
立体画像内における二つのサブ画像の配置を示すシーケンスの端において、別の白分離成分がプロトコルに挿入され、これは、ユーザの右目用のサブ画像に対するユーザの左目用のサブ画像の配置を示すシーケンスに先行する。
【００６８】
ユーザの右目用のサブ画像に対するユーザの左目用のサブ画像の配置を示すシーケンスは、二つの色成分を含む。これは、赤色成分が左側に位置するものは何かというコンセプトに関し（したがってユーザの左目に関する）、そして緑色成分が右側に位置するものは何かというコンセプトに関連する（したがってユーザの右目に関する）、との事実に基づいている。
【００６９】
図２は、ユーザの左目用の情報を含む下側サブ画像３８とユーザの右目用の情報を含む上側サブ画面３９とを含む、水平に分割された立体画像４４を示す。
【００７０】
サブ画像３９に対するサブ画像３８の配置を示すシーケンスが、緑色成分とその後にくる赤色成分とで構成されるのか又はその逆で構成されるのかを定めるために、システム１８は、検出された分割タイプに依ってＸ軸又はＹ軸に沿ってスキャンを実行する。Ｘ軸は立体画像４４の主側面４５に平行な軸でありＹ軸は立体画像４４の副側面４６に平行な軸である。立体画像４４の分割が水平であることから、スキャンはＹ軸に沿って下側から上側に実行される。スキャン中に見つかったサブ画像により、プロトコルに挿入される色成分の色が決定される。分割が鉛直である場合にはスキャンはＸ軸に沿って左から右に実行される。立体画像４４の場合には、連続で挿入される二つの色成分は赤色成分及び緑色成分である。
【００７１】
その理由は、Ｙ軸に沿って実行されるスキャンによって最初に下側画像３８即ちユーザの左目用の画像（赤色成分に関連）が見つかり、その後上側画像３９即ちユーザの右目用の画像（緑色成分に関連）が見つかるからである。
【００７２】
一対のサブ画像に細分された立体画像の映像ストリームを表示するために用いられるプロトコルの場合、別の白分離成分がシーケンスの端においてプロトコルに挿入され、これによりユーザの右目用のサブ画像に対するユーザの左目用のサブ画像の配置が示される。
【００７３】
この分離成分は、サブ画像の回転及び／又は鏡映及び／又は反転のシーケンスに先行する。
【００７４】
サブ画像の回転及び／又は鏡映及び／又は反転のシーケンスは、表示される立体画像に対してサブ画像が回転されたか及び／又は鏡映されたか及び／又は反転されたかを知るために有用な情報を提供する色成分のシーケンスを規定する。
【００７５】
因習により、立体画像の左側が赤色成分に、右側が緑色成分に、上側が青色成分に、そして下側が黒色成分に対応することが定められている。
【００７６】
組み込まれる色を定めるためにダブルスキャンの実行が必要となる。即ち最初にＸ軸に沿ってスキャンした後にＹ軸に沿って実行し、これにより表示される立体画像のどちらの側がサブ画像の側により参照されているのかを検証することができる。
【００７７】
上側サブ画像３９が１８０度回転されたような水平に分割された立体画像４４の場合、Ｘ軸に沿って実行されたスキャンに基づき、プロトコル内に、連続して、赤色成分、緑色成分、別の緑色成分、及び別の赤色成分を組み込むことが必要となる。
【００７８】
その理由は、立体画像４４の左下角（Ｘ軸沿いのスキャン開始点）から開始すると、以下の側に連続して出会うからである。
−表示される立体画像の左側に対応する、下側サブ画像３８の左側３４
−表示される立体画像の右側に対応する、回転された上側サブ画像３９の左側３５
−表示される立体画像の右側に対応する、下側サブ画像３８の右側３６
−表示される立体画像の左側に対応する、回転された上側サブ画像３９の右側３７
【００７９】
その後、Ｙ軸に沿ったスキャンの結果に基づいて、黒色成分、青色成分、別の青色成分、そして別の黒色成分がプロトコル内に挿入される。
【００８０】
その理由は、立体画像４４の下側から開始すると、以下の側に連続して出会うからである。
−表示される立体画像の下側に対応する、下側サブ画像３８の下側４０
−表示される立体画像の上側に対応する、下側サブ画像３８の上側４１
−表示される立体画像の上側に対応する、回転された上側サブ画像３９の下側４２
−表示される立体画像の下側に対応する、回転された上側サブ画像３９の上側４３
【００８１】
したがって、ダブルスキャンが実行されることにより、サブ画像の回転及び／または鏡映及び／又は反転シーケンスは、白分離成分によって分離された二つのサブシーケンスを含み、各スキャンに一つのサブシーケンスが対応するとともに、各サブシーケンスは四つの色成分から構成されている。
【００８２】
さらなるプロトコル拡張のために自由部分シーケンスをプロトコルに挿入してもよく、この場合プロトコルの端に白色成分が挿入される。
【００８３】
プロトコルは、立体画像を含む映像ストリームのためのプロトコル終了識別シーケンスで終了する。
【００８４】
立体画像を含む映像ストリームのためのプロトコル終了識別シーケンスは、立体画像を含む映像ストリームのためのプロトコル開始シーケンスと等しく、即ち、立体画像を含む映像ストリームのためのプロトコル終了識別シーケンスは、白基本成分、緑色成分、白基本成分、赤色成分、白基本成分、青色成分、そして最後に白基本成分を含む。
【００８５】
立体画像が二つのサブ画像に細分された場合、サブ画像の相互配置を示すシーケンスは存在しない。その理由は、二つのサブ画像のみが存在するので、それらの相互配置に関する情報はすでに立体画像内の二つのサブ画像の配置を示すシーケンスに含まれているからである。
【００８６】
上記のとおり、プロトコルは、二よりも大きい数のサブ画像、例えば四つのサブ画像（そのうち二つはユーザの右目用であり、他の二つはユーザの左目用である）、に細分された立体画像を含む映像ストリームにも応用することができる。
【００８７】
プロトコルを形成するシーケンスは、立体画像が四つのサブ画像に細分された場合においても、以下の所定の情報を含むとともに以下の所定の機能を果たす。
ａ）（各々が）四つのサブ画像に細分された立体画像を含む映像ストリームのためのプロトコル開始識別
ｂ）立体画像内における四つのサブ画像の配置（左右、又は上下即ち鉛直もしくは水平分割）
ｃ）ユーザの右目用のサブ画像に対するユーザの左目用のサブ画像の配置
ｄ）四つのサブ画像の相互配置
ｅ）サブ画像の回転及び／又は鏡映及び／又は反転
ｆ）さらなるプロトコル拡張に利用される自由部分
ｇ）（各々が）四つのサブ画像に細分された立体画像を含む映像ストリームのためのプロトコル終了識別
【００８８】
（各々が）四つのサブ画像に細分された立体画像を含む映像ストリームのためのプロトコル開始識別シーケンスは、（各々が）二つのサブ画像に細分された立体画像を含む映像ストリームのためのプロトコル開始識別シーケンスと同じであるので、白基本成分、緑色成分、白基本成分、赤色成分、白基本成分、青色成分、赤色成分、白基本成分、青色成分、及び最後に白基本成分を、連続して含む。
【００８９】
この場合においても、分離成分、例えば白、が、上記にリストした各シーケンスの端に配置される。
【００９０】
したがって、白分離成分は、四つのサブ画像に細分された立体画像を含む映像ストリームのためのプロトコル開始識別シーケンスの後に挿入される。
【００９１】
立体画像内における四つのサブ画像の配置を示すシーケンスは、その後、プロトコル内に挿入され、該シーケンスは、立体画像のサブ画像のレイアウトが右左レイアウト（立体画像の鉛直分割）か上下レイアウト（立体画像の水平分割）かを示す情報を色成分へ変換するよう、構成されている。二つのサブ画像に細分された立体画像用のプロトコルに関して前述したように、色成分、例えば青色、は水平分割を示し、別の色成分、例えば赤色、は鉛直分割を示す。
【００９２】
立体画像における四つのサブ画像の配置を示すシーケンスの端において、別の白分離成分がプロトコルに挿入され、この白分離成分は、ユーザの右目用のサブ画像に対するユーザの左目用のサブ画像の配置を示すシーケンスの前にくる。
【００９３】
ユーザの右目用のサブ画像に対するユーザの左目用のサブ画像の配置を示すシーケンスは、四つの色成分を含み、これもまた、赤色成分が左側に位置するものは何かというコンセプトに関し（即ちユーザの左目に関する）、そして緑色成分が右側に位置するものは何かというコンセプトに関連する（即ちユーザの右目に関する）、との因習に基づいている。
【００９４】
ユーザの右目用のサブ画像に対するユーザの左目用のサブ画像の配置を示すシーケンスに挿入される色成分を定めるために、システム１８は、検出された分割のタイプに依存してＸ軸又はＹ軸に沿ってそれぞれスキャンを実行する。Ｘ軸は立体画像４７の主側面５６に平行な軸であり、Ｙ軸は立体画像４７の副側面５７に平行な軸である。
【００９５】
水平分割においてスキャンはＹ軸に沿って下側から上側に実行され、鉛直分割においてスキャンはＸ軸に沿って左から右に実行される。スキャン中に見つかったサブ画像により、プロトコルに挿入される色成分の色が決定される。
【００９６】
図３に示される立体画像４７は、以下を含む。
−第一上側サブ画像２１及び第一下側サブ画像２２。両方ともユーザの右目用の画像であり、完全な画像を作成するよう、立体画像４７の中心において一方が他方の上側に配置されている。
−第一上側サブ画像２１をＸ軸に平行なＡ軸の周りに反転させて得られた、ユーザの左目用の第二上側サブ画像２３。
−第一下側サブ画像２２をＸ軸に平行なＢ軸の周りに反転させて得られた、ユーザの左目用の第二下側サブ画像２４。
【００９７】
この場合、立体画像４７は水平に分割されているので、挿入される四つの色成分は、連続して、赤色成分、緑色成分、緑色成分及び赤色成分である。その理由は、Ｙ軸に沿って実行されるスキャンが、順に、ユーザの左目用の第二下側サブ画像２４（赤色成分に関連）、ユーザの右目用の第一下側サブ画像２２（緑色成分に関連）、ユーザの右目用の第一上側サブ画像２１（緑色成分に関連）、及び最後にユーザの左目用の第二上側サブ画像２３（赤色成分に関連）、を見つけるからである。
【００９８】
ユーザの右目用のサブ画像に対するユーザの左目用のサブ画像の配置を示すシーケンスの端において、別の白分離成分がプロトコルに挿入され、該白分離成分は、サブ画像の回転及び／又は鏡映及び／又は反転のシーケンスの前にくる。
【００９９】
サブ画像の回転及び／又は鏡映及び／又は反転のシーケンスは、サブ画像が表示される立体画像に対して回転されたか及び／又は鏡映されたか及び／又は反転されたかを知るのに有用な情報を提供する色成分のシーケンスを規定する。
【０１００】
因習により、立体画像の左側は赤色成分に、右側は緑成分に、上側は青色成分に、そして下側は黒色成分に対応すると定められている。
【０１０１】
組み込まれる色を定めるためにダブルスキャンの実行が必要とされる。即ち最初にＸ軸に沿ってスキャンした後にＹ軸に沿って実行し、これにより、表示される立体画像のどちらの側がサブ画像の側により参照されているのかを検証することができる。
【０１０２】
立体画像４７の場合、Ｘ軸に沿って実行されたスキャンに基づき、プロトコル内に連続して八つの色成分を組み込むことが必要となり、それらは四つの赤色成分及び四つの緑色成分である。
【０１０３】
その理由は、立体画像４７の左下角（Ｘ軸沿いのスキャン開始点）から開始すると、以下の側に連続して出会うからである。
−表示される立体画像の左側に対応する、第二下側サブ画像２４の左側２５
−表示される立体画像の左側に対応する、第一下側サブ画像２２の左側２６
−表示される立体画像の左側に対応する、第一上側サブ画像２１の左側２７
−表示される立体画像の左側に対応する、第二上側サブ画像２３の左側２８
−表示される立体画像の右側に対応する、第二下側サブ画像２４の右側３０
−表示される立体画像の右側に対応する、第一下側サブ画像２２の右側３１
−表示される立体画像の右側に対応する、第一上側サブ画像２１の右側３２
−表示される立体画像の右側に対応する、第二上側サブ画像２３の右側３３
【０１０４】
その後、Ｙ軸に沿ったスキャンの結果に基づいて、以下の色成分の対のシーケンスがプロトコルに挿入される。
−青、黒
−黒、青
−黒、青
−青、黒
【０１０５】
その理由は、青−黒の対が反転された画像に対応し、黒−青の対が反転されていない画像に対応するからである。
【０１０６】
実際には、立体画像４７の下側から開始すると、第二下側サブ画像２４は反転されており、第一下側サブ画像２２は反転されてなく、第一上側サブ画像２１は反転されてなく、そして第二上側サブ画像２３は反転されている。
【０１０７】
したがって、ダブルスキャンが実行されることにより、サブ画像の回転及び／又は鏡映及び／又は反転のシーケンスは、白分離成分により分離された二つのサブシーケンスを含み、各スキャンが一つのサブシーケンスが対応する。また各サブシーケンスは四つの色成分から構成されている。
【０１０８】
その後、考えられるさらなるプロトコル拡張のために自由部分シーケンスがプロトコルに挿入され、この場合プロトコルの端に白色成分が挿入される。自由部分シーケンスは、二つの目用の情報をエンコードする新しい形として利用されてもよく、及び／又はデコードシステムの再プログラミングにおけるデータ送信のために利用されてもよい。
【０１０９】
プロトコルシーケンスは、四つのサブ画像に細分された立体画像を含む映像ストリームのためのプロトコル終了識別シーケンスで終了する。
【０１１０】
四つのサブ画像に細分された立体画像を含む映像ストリームのためのプロトコル終了識別シーケンスは、四つのサブ画像に細分された立体画像を含む映像ストリームのためのプロトコル開始シーケンスと一致してもよい。
【０１１１】
図３に示されるようなコンフィギュレーションにより、映像化欠陥が最小限に抑えられる。映像化欠陥とは、Ｘ軸に平行なＡ軸に沿って即ち第一上側サブ画像２１と第二上側サブ画像２３との間に生じる、及び／又はＸ軸に平行なＢ軸に沿って即ち第一下側サブ画像２２と第二下側サブ画像２４との間に生じる、いわゆる「圧縮アーティファクト」である。
【０１１２】
このタイプのコンフィギュレーションは、立体画像の二次元的映像化にも実質的に適合する。このことは、４：３テレビセットにフィルムを表示する方法と同様にして、第二上側サブ画像２３及び第二下側サブ画像２４をマスキングすることにより達成される。
【０１１３】
さらに、このタイプのコンフィギュレーションにより、プロトコルは、立体的でない１６：９テレビセットにおいても使用可能となる。そのような場合、第一上側サブ画像２１及び第一下側サブ画像２２を、１６：９比の全領域が覆われるまで拡大する必要がある。１６：９テレビセットの受信システムにサテライトデコーダが含まれている場合、本発明に係るプロトコルを認識して、ホスト画像よりも幅／高さ比が大きなフィルムにおいてすでに行われているように第二上側サブ画像２３と第二下側サブ画像２４とをマスクする（黒領域を用いて）よう、サテライトデコーダのプログラムが書き換えられる。
【０１１４】
本発明に係るプロトコルを用いてエンコードされた映像を引き伸ばすことは、サテライト、地上無線リンク、ケーブル又は事前記録データ媒体（ＤＶＤ、ブルーレイなど）の販売、を含む、二次元画像を含む映像ストリームを配布するために現在使用されている任意の手段を用いて行われる。
【０１１５】
別のバージョンにおいては、第二下側サブ画像２４及び第二上側サブ画像２３を交換してもよい。
【０１１６】
デコード手段１４は、考えられる映像ストリーム源に接続可能なアナログ及び／又はデジタル入力回路手段１１と、画像処理手段１２と、立体テレビセットなどの表示装置１６に接続可能な出力立体画像フォーマット手段１３と、を有する。
【０１１７】
したがって、デコード手段１４は、その一方が考えられる映像ストリーム源に入力回路手段１１を介して接続され、他方が表示装置１６に接続される。
【０１１８】
特に、図１の例を参照すると、デコード手段１４は、前記デコード手段１４に立体画像を含む映像ストリームを供給する伝送手段１９と画像が再生される表示装置１６との間に挿入される。
【０１１９】
画像処理手段１２には、異なる操作モードを有効にする押ボタン６、７が設けられている。
【０１２０】
画像処理手段１２には、さらに、立体及び／又は二次元映像に関する異なる操作サブモードを有効にするスイッチ８が設けられている。第一サブモードは、プロトコルが入力映像ストリーム内に存在する場合にプロトコルを自動的にデコードする。スイッチ８を操作することにより立体映像又は二次元映像が有効になり、後者の場合、表示装置１６上の入力フロー内に含まれるサブ画像の一部のみが拡大される。
【０１２１】
上記の自動操作の例において、画像処理手段は画像内にプロトコルが存在するかしないかを認識して二次元又は立体映像を有効にするためにスイッチが操作される。
【０１２２】
さらに、立体映像の場合、処理手段１２は右目及び左目用のサブ画像のコンフィギュレーションを認識し、その後両方のサブ画像を抽出してこれらを所定のメモリ領域に格納する。このようにして、必要に応じてフォーマット手段１３を用いてサブ画像が再結合される。詳細については後述する。
【０１２３】
スイッチ８は、表示装置１６の異なる音声／映像機能を操作するためのリモートコントロールに設けられてもよい。
【０１２４】
図示されていないバージョンにおいては、デコード手段１４を、表示装置１６又はサテライト受信機又は類似の装置（例えば受信機２）に内蔵してもよい。
【０１２５】
図１の例において、デコード手段１４はさらに画像処理手段１２に接続されるスクリーン１５を有する。
【０１２６】
スクリーン１５により、ユーザは、どの操作モードが有効になっているかを見ることができ、例えば自動又は手動デコード、立体又は二次元映像化、有効にされた立体エンコードタイプなどを見ることができる。
【０１２７】
スクリーン１５上でどのモードが選択されているかをチェックすることにより、押ボタン６及び７を用いてさらなるデコードモードを有効にすることが可能となる。例えば、最も一般的な立体エンコードのタイプ（上下、左右又はインターレース）を有効にすることが可能となる。したがって、ＤＶＤ又はインターネットから流れてくる、本発明に係るプロトコルを有していない映像ストリームをデコードすることも可能である。
【０１２８】
実際には、押ボタン６及び７を用いることにより、受信された映像ストリームの立体エンコードのタイプに関する情報を有する画像処理手段を提供することができる。
【０１２９】
再度になるが、スイッチ８を操作することにより、立体映像を有効又は無効にすることができる。
【０１３０】
出力立体画像フォーマット手段１３は、種々の立体画像表示モードを有効にする追加の押ボタン９、１０とともに取り付けられてもよい。
【０１３１】
出力立体画像フォーマット手段１３により、異なるタイプの三次元表示装置１６を接続することができ、ユーザは、スクリーン上の選択されたモードを確認することによって他の押ボタン９及び１０を用いて最も広く普及している立体エンコードを有効にすることができる。使用可能なモードには、水平線上のインターレース（特にミクロポラリゼーションＬＣＤテレビセットにより採用される）、鉛直線上のインターレース（三次元プラズマテレビセットで用いられる）、チェッカード（縞）（三次元バックプロジェクションＤＬＰテレビセット、プラズマテレビセット、及び単一ＤＬＰプロジェクタを用いる一部の立体画像プロジェクションシステム）、及び、例えば立体画像の金属スクリーン上へのプロジェクション又は偏光保有スクリーン上へのバックプロジェクションのためのポラライザフィルタを有する二つのビデオプロジェクタを接続するためのデュアル映像出力、が含まれる。
【０１３２】
表示装置又は立体画像映像化モードは、押ボタン９及び１０を用いて選択され、フォーマット手段は、表示装置により選択又は要求された映像化モードに適合するフォーマットに基づいて、右目用及び左目用のサブ画像をアレンジする。
【０１３３】
したがって、まとめると、画像処理手段１２は立体画像内のサブ画像のコンフィギュレーションを認識し、これらのサブ画像を抽出してフォーマット手段にて利用可能にする。その後、フォーマット手段は、ユーザにより押ボタン９及び１０を介してなされた選択に基づき、表示装置により要求された立体エンコードに従って、これらのサブ画像を立体画像に再構成する。この後者のエンコードは、入力回路手段１１から受信された映像ストリーム内に含まれる立体画像のものと異なるものでもよい。
【０１３４】
換言すれば、デコード手段１４は、第一立体エンコードから第二立体エンコードへの変換を実行する。この変換は、エンコード手段２０により画像内に組み込まれたコード（又はプロトコル）により自動的に実行されてもよく、又は押ボタン６、７、９及び１０を介してユーザにより提供された情報に基づいて実行されてもよい。
【０１３５】
本発明を図１〜３の例を参照して説明したが、上記の立体画像エンコードが本明細書に添付された特許請求の範囲の項の記載の範囲内で種々変更可能であることは、当業者にとって明らかである。
【０１３６】
特に、上記したように、デコード手段１４を表示装置１６に一体化して設けてもよい。この場合、フォーマット手段は表示装置１６の機能を知ることができるのでそれに応じて出力立体画像をフォーマットすることができる。この場合、押ボタン８及び９は不要である。
【０１３７】
デコード手段１４は、表示装置に内蔵されていない場合でも所定のフォーマットを有する立体画像を出力するようプログラムされてもよい。そのような場合、デコード手段１４は、サブ画像が第一エンコードにしたがってコンフィグされた立体画像を受信し、サブ画像のコンフィギュレーションを認識し、受信された立体映像をプリセットされたフォーマットに変換する（即ち受信した立体画像のサブ画像を所定のコンフィギュレーションに基づいてアレンジする）。特に、この変換は、エンコード手段により画像に組み込まれたプロトコルに基づいて自動的に行われる。
【０１３８】
さらに、前述した好ましい例においては、エンコード手段により立体画像に組み込まれた情報が、プロトコル（コード）開始シーケンス及び終了シーケンスを有する色彩シーケンスに基づいてアレンジされたが、そのような情報は別のシーケンスに基づいてアレンジされてもよく、またプロトコル開始シーケンス及びプロトコル終了シーケンスを含まなくてもよい。特に、立体画像内の色彩コードの予め決められた位置を規定することでプロトコル開始シーケンスを省略してもよく、これにより、デコード手段は、立体画像内のサブ画像の配置に関する情報を与える色彩コードが開始する場所を事前に知ることができる。
【０１３９】
立体画像内のサブ画像の配置を示す色彩コードとして解釈され得る色を二次元画像が有するリスクを減じるために、色彩コードの長さを長くすることが考えられる。
【０１４０】
さらに、本明細書に記載されたプロトコルを有する立体画像が含まれる映像ストリームは、光学媒体、磁気媒体、光磁気媒体、又は固体媒体などの任意のタイプの大容量記憶装置にデータとして格納されてもよいことは明らかである。
【０１４１】
したがって、前記大容量記憶装置は、前記映像ストリームを表すデータシーケンスを有する。
【図１】
2012506649.tif 000003
【図２】
2012506649.tif 000004
【図３】
2012506649.tif 000005
【国際調査報告】
2012506649.tif 000006
2012506649.tif 000007
2012506649.tif 000008